(57)【要約】【課題】開かれた前扉の重量により筐体が前扉側に傾いて倒れるのを防止する。【解決手段】スロットマシン１は、前扉３が開放された場合に、保持手段３０２がスタンド部材３０１を当該スタンド部材３０１の先端側が前扉３の底辺から突出した状態で保持することが可能であり、スタンド部材３０１の先端側が筐体２を設置した設置面４０１に当接することで筐体２が前扉３側に所定角度以上傾くのを防止するので、開かれた前扉３の重量により筐体２が前記前扉３側に傾いて倒れるのを防止できる。【選択図】図４
2007190174.tif 000002
【特許請求の範囲】
【請求項１】
前方に開口を有する筐体と、前記筐体に対して回動可能に取り付けられることで前記開口を閉塞させる前扉とを備える遊技機であって、
その先端側が前記前扉の底辺から突出した状態と退避した状態に選択可能であるとともに、前記前扉が開放された状態で、その先端側が前記前扉の底辺から突出して前記前扉に設けられ、その先端側が前記筐体を設置した設置面に当接することで前記筐体が前記前扉側に所定角度以上傾くのを防止するスタンド部材を備えることを特徴とする遊技機。
【請求項２】
前方に開口を有する筐体と、前記筐体に対して回動可能に取り付けられることで前記開口を閉塞させる前扉とを備える遊技機であって、
前記前扉が開放された状態で、その先端側が前記前扉の底辺から突出して前記前扉に設けられ、その先端側が前記筐体を設置した設置面に当接することで前記筐体が前記前扉側に所定角度以上傾くのを防止するスタンド部材と、
前記前扉に設けられ、前記スタンド部材の先端側が前記前扉の底辺から突出した状態と退避した状態の切換選択を行って前記スタンド部材を保持する保持手段とを備えることを特徴とする遊技機。
【請求項３】
前記スタンド部材は、板状に形成され、その板面に貫通孔が形成され、一端側が前記先端側となり、他端側の平面形状が凹形状となり、
前記保持手段は、前記前扉に設けられ前記スタンド部材の前記貫通孔に挿入し当該貫通孔の縁部に係止することで前記スタンド部材を着脱及び回動可能な状態で取り付ける軸部と、前記前扉に設けられ前記スタンド部材の他端側の凹形状と係合することで前記スタンド部材の先端側が前記前扉の底辺から突出した状態で前記スタンド部材を停止させる突起部とを備えることを特徴とする請求項２に記載の遊技機。
【請求項４】
前記保持手段は、前記前扉に設けられ、前記スタンド部材を上下にスライド可能な状態で保持することで、前記スタンド部材の先端側が前記前扉の底辺から突出した状態と退避した状態の切換選択を可能にするとともに、前記スタンド部材の先端側が前記前扉の底辺から突出した状態で前記スタンド部材を係止する係止手段を備えることを特徴とする請求項２に記載の遊技機。
【請求項５】
前記保持手段は、前記前扉に設けられ、前記スタンド部材を回動可能な状態で保持することで、前記スタンド部材の先端側が前記前扉の底辺から突出した状態と退避した状態の切換選択を可能にするとともに、前記スタンド部材の先端側が前記前扉の底辺から突出した状態で前記スタンド部材を係止する係止手段を備えることを特徴とする請求項２に記載の遊技機。
【発明の詳細な説明】
【技術分野】
【０００１】
本発明は、前方に開口を有する筐体と、前記筐体に対して回動可能に取り付けられることで前記開口を閉塞させる前扉とを備える遊技機に関するものである。
【背景技術】
【０００２】
従来、スロットマシンは、例えば特許文献１に記載されているように、略矩形状の箱体である筐体と、当該筐体に開閉可能に取り付けられた前扉（フロントドア）とを備えている。さらに、スロットマシンの前扉には、映像表示手段やランプ等の表示手段を多数設けて、遊技の情報の報知や各種演出を行うものがある。
【０００３】
前記遊技の情報の報知としては、例えばスロットマシンにおいて液晶表示パネルの映像表示やランプの点灯によりスタートレバーやストップボタンの操作手順の指示を行う等の例がある。前記演出としては、例えば液晶表示パネルに遊技に関係する情報や演出をアニメーションの映像で表示させる、入賞の際に演出用照明ランプを点滅させる等の例がある。
【０００４】
【特許文献１】特開２００４−２３００２４号公報
【発明の開示】
【発明が解決しようとする課題】
【０００５】
ところで、近年、スロットマシンでは、映像表示手段に表示する映像の高画質化や大画面化が進んでおり、映像表示手段の重量が増大する傾向にある。
【０００６】
しかしながら、上述した従来のスロットマシンによれば、前扉に多数の表示手段や重い映像表示手段を設けた場合、製造工程において、前記前扉が開放された状態で前扉の重量により前記筐体が前記前扉側に傾いて倒れる場合があり問題が多かった。
【０００７】
本発明は、こうした従来の問題に鑑みてなされたものであり、開かれた前扉の重量により筐体が前扉側に傾いて倒れるのを防止する等が可能な遊技機を提供することを目的としている。
【課題を解決するための手段】
【０００８】
上述した課題を解決するため、請求項１に記載の発明は、前方に開口を有する筐体と、前記筐体に対して回動可能に取り付けられることで前記開口を閉塞させる前扉とを備える遊技機であって、その先端側が前記前扉の底辺から突出した状態と退避した状態に選択可能であるとともに、前記前扉が開放された状態で、その先端側が前記前扉の底辺から突出して前記前扉に設けられ、その先端側が前記筐体を設置した設置面に当接することで前記筐体が前記前扉側に所定角度以上傾くのを防止するスタンド部材を備えることを特徴とする。
【０００９】
請求項２に記載の発明は、前方に開口を有する筐体と、前記筐体に対して回動可能に取り付けられることで前記開口を閉塞させる前扉とを備える遊技機であって、前記前扉が開放された状態で、その先端側が前記前扉の底辺から突出して前記前扉に設けられ、その先端側が前記筐体を設置した設置面に当接することで前記筐体が前記前扉側に所定角度以上傾くのを防止するスタンド部材と、前記前扉に設けられ、前記スタンド部材の先端側が前記前扉の底辺から突出した状態と退避した状態の切換選択を行って前記スタンド部材を保持する保持手段とを備えることを特徴とする。
【００１０】
請求項３に記載の発明は、請求項２に記載の遊技機であって、前記スタンド部材は、板状に形成され、その板面に貫通孔が形成され、一端側が前記先端側となり、他端側の平面形状が凹形状となり、前記保持手段は、前記前扉に設けられ前記スタンド部材の前記貫通孔に挿入し当該貫通孔の縁部に係止することで前記スタンド部材を着脱及び回動可能な状態で取り付ける軸部と、前記前扉に設けられ前記スタンド部材の他端側の凹形状と係合することで前記スタンド部材の先端側が前記前扉の底辺から突出した状態で前記スタンド部材を停止させる突起部とを備えることを特徴とする。
【００１１】
請求項４に記載の発明は、請求項２に記載の遊技機であって、前記保持手段は、前記前扉に設けられ、前記スタンド部材を上下にスライド可能な状態で保持することで、前記スタンド部材の先端側が前記前扉の底辺から突出した状態と退避した状態の切換選択を可能にするとともに、前記スタンド部材の先端側が前記前扉の底辺から突出した状態で前記スタンド部材を係止する係止手段を備えることを特徴とする。
【００１２】
請求項５に記載の発明は、請求項２に記載の遊技機であって、前記保持手段は、前記前扉に設けられ、前記スタンド部材を回動可能な状態で保持することで、前記スタンド部材の先端側が前記前扉の底辺から突出した状態と退避した状態の切換選択を可能にするとともに、前記スタンド部材の先端側が前記前扉の底辺から突出した状態で前記スタンド部材を係止する係止手段を備えることを特徴とする。
【００１３】
請求項１に記載の遊技機によれば、前扉が開放された状態で、スタンド部材の先端側が筐体を設置した設置面に当接することで前記筐体が前記前扉側に所定角度以上傾くのを防止するので、開かれた前扉の重量により筐体が前扉側に傾いて倒れるのを防止できる。
【００１４】
請求項２に記載の遊技機によれば、前扉が開放された場合に、保持手段がスタンド部材を当該スタンド部材の先端側が前記前扉の底辺から突出した状態で保持し、前記スタンド部材の先端側が前記筐体を設置した設置面に当接することで前記筐体が前記前扉側に所定角度以上傾くのを防止するので、開かれた前扉の重量により筐体が前扉側に傾いて倒れるのを防止できる。
【００１５】
請求項３に記載の遊技機によれば、保持手段の突起部を前扉に設けられスタンド部材の他端側の凹形状と係合させた状態で前記保持手段の軸部に前記スタンド部材を取り付けることで、容易に前記スタンド部材を当該スタンド部材の先端側が前記前扉の底辺から突出した状態で固定できる。
【００１６】
請求項４に記載の遊技機によれば、前扉を閉塞する際に前記スタンド部材を上側にスライドさせることで前記スタンド部材の先端側が前記前扉の底辺から退避した状態を選択できるとともに、前扉を開放した場合に前記スタンド部材の先端側が前記前扉の底辺から突出した状態で前記保持手段の係止手段が前記スタンド部材を係止するので、容易に前記スタンド部材を当該スタンド部材の先端側が前記前扉の底辺から突出した状態で固定できる。
【００１７】
請求項５に記載の遊技機によれば、前扉を閉塞する際に前記スタンド部材を上側に回動させることで前記スタンド部材の先端側が前記前扉の底辺から退避した状態を選択できるとともに、前扉を開放した場合に前記スタンド部材の先端側が前記前扉の底辺から突出した状態で前記保持手段の係止手段が前記スタンド部材を係止するので、容易に前記スタンド部材を当該スタンド部材の先端側が前記前扉の底辺から突出した状態で固定できる。
【発明の効果】
【００１８】
本発明の遊技機によれば、開かれた前扉の重量により筐体が前扉側に傾いて倒れるのを防止でき、製造工程において作業員の手で前扉を支える等の手間を省き、作業性を向上する等を行える。
【発明を実施するための最良の形態】
【００１９】
以下、本発明に係る遊技機の好適な一実施形態をスロットマシンを例に図面を参照して説明する。なお、図１はスロットマシン１の外観構造を表した斜視図である。図２は前扉３を開放した状態におけるスロットマシン１の内部構造を表した図である。図３はスロットマシン１の制御システムを表したブロック図である。
【００２０】
図１において、スロットマシン１は、前方に開口を有する略矩形状の箱体である筐体２と、当該筐体２に対して蝶番機構により回動可能に取り付けられることで前記開口を開閉可能な状態で閉塞させる前扉３とを備えている。
【００２１】
前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留する受皿部６ａが一体的に形成された受皿ユニット６が設けられている。
【００２２】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及び受皿ユニット６は、遊技者側に面し、これらによって「前面パネル部」が構成される。
【００２３】
上部パネル部４の中央には、硬質プラスチック板等で形成されたパネル面４１が設けられている。パネル面４１のほぼ中央には略長方形の透明な表示窓４２が形成され、表示窓４２を通して筐体２内に設けられているリールユニット１００の３個のリール１０１ａ、１０１ｂ、１０１ｃが目視される。
【００２４】
ここで、筐体２内に設置されているリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できるようになっている。
【００２５】
また、パネル面４１には、裏面側に設けられている図示しないランプを点灯させることで例えば入賞役への内部当選など遊技状態に関する情報を演出表示する遊技状態表示部４３と、これと同様にランプを点灯させることで遊技操作のアシストに関する情報を表示する操作アシスト表示部４４と、スロットマシン１にクレジット（貯留）されているメダル数や、入賞によって獲得したメダル数、又は入賞役への当選回数等の情報を数値表示する数値情報表示部４５が、それぞれ表示窓４２の周辺に設けられている。
【００２６】
上部パネル部４の上部には、高輝度発光ダイオード等のランプ類を内蔵する中央及び左右の演出用照明部４６、４７ａ、４７ｂと、ゲームに係る効果音を発生させるスピーカを内蔵する演出用放音部４８ａ、４８ｂが配置されている。
【００２７】
スロットマシン１は、ゲームの進行に応じて上述した複数の演出用照明部４６、４７ａ、４７ｂ等が点灯又は点滅することで、ゲームにおける視覚的な演出効果を高めるように形成されている。
【００２８】
また、演出用放音部４８ａ、４８ｂの間には、透明な硬質プラスチック板等が嵌め込まれて形成された表示窓４９ａに面して遊技機の演出装置として液晶表示装置４９が配置されている。なお、液晶表示装置４９は、ゲームの演出に係る映像やゲーム（遊技）に関する情報を主に表示する。
【００２９】
操作卓７の上面右側にはメダル投入部７１が設けられている。メダル投入部７１はメダルを投入するためのメダル投入口７２を有する。また、当該上面の左側には、押しボタンスイッチである２個のベットボタン７３、７４が設けられている。
【００３０】
ベットボタン７３、７４はスロットマシンの１ゲームに賭けるメダルの枚数を提示するためのボタンスイッチである。ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００３１】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
【００３２】
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００３３】
さらに、操作卓７の前面の左隅には、ゲームに賭けられたメダルをキャンセルして払い出させることを指示するとともに、後述するメダルクレジット手段２０３（図３参照）が内部貯留したメダルを精算して払い出させることを指示するための精算ボタン７７が設けられている。
【００３４】
操作卓７の前面右側には、前扉３を開錠するための鍵が挿入される鍵穴７８が設けられている。スロットマシン１の管理者等が鍵穴７８に所定の鍵を挿入して開錠操作すると、後述の蝶番機構９、１０（図２参照）によって筐体２に取り付けられている前扉３を前方へ開くことができ、また前扉３を筐体２側に閉じると、自動的にこれらを施錠するようになっている。
【００３５】
下部パネル部５には、スロットマシン１のモデルタイプを遊技者へ認識させる等のため、登場キャラクターの絵などを表示する表示パネル５１が設けられている。表示パネル５１の左右両脇には、左右の演出用照明部５２ａ、５２ｂが設けられている。
【００３６】
下部パネル部５の下側に配置された受皿ユニット６には、入賞時にメダルを排出するメダル払出口６１と、払い出されたメダルを貯留する受皿部６ａと、演出効果音を発生させるスピーカを内蔵する左右の演出用放音部６２ａ、６２ｂがそれぞれ配置されている。
【００３７】
次に、図２を参照して、筐体２の内部構造と前扉３の裏面構造を説明する。
【００３８】
図２において、筐体２の前方には開口８を有している。この開口８内の上部には、硬質プラスチックの基板ケース２１０に収納された主制御基板２０が取り付けられている。主制御基板２０は、スロットマシン１の全体動作を集中制御するＣＰＵ（マイコン）を備えている。
【００３９】
筐体２の左側表面の上端と前扉３の左側裏面の上端は、上側の蝶番機構９により回動可能な状態で取り付けられている。筐体２の左側表面の下端近傍と前扉３の左側裏面の下端は、下側の蝶番機構１０により回動可能な状態で取り付けられている。このような構造により、前扉３は、筐体２に対して蝶番機構９、１０により回動可能に取り付けられることで当該筐体２の開口８を開閉可能な状態で閉塞させるようになっている。また、前扉３の下面は、前扉３を開く場合に下方の設置面と接触しないように筐体２の下面より若干上側に位置している。
【００４０】
前扉３の裏面の底辺８１の近傍には、本発明の要部となるスタンド部材３０１が設けられている。
【００４１】
筐体２内の中央には、リール１０１ａ、１０１ｂ、１０１ｃを備えるリールユニット１００が設けられている。リールユニット１００は、前扉３が筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００４２】
また、リールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００４３】
リールユニット１００の下方には、ホッパ装置２１と、ホッパ装置２１から溢れたメダルを収容するための補助貯留部２２と、主電源装置２３が設けられている。主電源装置２３の内部の右側には、いわゆる配電盤に相当する電源装置基板２４が設けられている。更に、筐体２の上部右側の内壁に、遊技場に設置されている「ホールコンピュータ」と呼ばれる管理用コンピュータと接続可能な外部集中端子基板２５が取り付けられている。
【００４４】
次に、前扉３の裏面側上部には、発光駆動部３０、３１ａ、３１ｂが配置されている。発光駆動部３０、３１ａ、３１ｂは、それぞれ演出用照明部４６、４７ａ、４７ｂの光源である高輝度の発光ダイオードが複数配列され、この発光ダイオードを発光駆動する駆動回路が実装されている。
【００４５】
また、前扉３の裏面側上部には、上述の演出用放音部４８ａ、４８ｂに対向してスピーカ３２ａ、３２ｂが取り付けられている。また、スピーカ３２ａ、３２ｂの間には、液晶表示装置４９が取り付けられている。更に、液晶表示装置４９の裏面側には、電気回路基板で形成され硬質プラスチックの基板ケース２２０に収納されたサブ制御基板４０が取り付けられている。
【００４６】
主制御基板２０及びサブ制御基板４０は、スロットマシン１の作動を制御する制御基板である。
【００４７】
サブ制御基板４０の下方には、リール１０１ａ、１０１ｂ、１０１ｃを目視させるための透明な表示窓４２が形成されたパネル板５０が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００４８】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４９】
メダル選別装置３４の装置本体の下方には、メダル選別装置３４によって振り分けられた正規のメダルを筐体２内に設けられているホッパ装置２１へ案内するガイド部材３５と、メダル選別装置３４により排除されたメダル（又は異物）をメダル排出口６１へ案内するガイド部材３６が設けられている。また、前扉３の裏面側下部には、ホッパ装置２１から排出されたメダルをメダル排出口６１へ案内するガイド部材３７が設けられている。更に、メダル排出口６１に隣接して、上述した演出用放音部６２ａ、６２ｂに対向するスピーカ３８ａ、３８ｂが取り付けられている。
【００５０】
なお、スロットマシン１全体の動作は、筐体２側に設けられている主制御基板２０によって統括制御されており、サブ制御基板４０は、液晶表示装置４９による演出映像の表示制御、及び演出用放音部４８ａ、４８ｂ、６２ａ、６２ｂのスピーカ３２ａ、３２ｂ、３８ａ、３８ｂを使った演出効果音制御など、ゲームの演出に係る制御を主に行っている。
【００５１】
次に、図３のブロック図を参照して、スロットマシン１に設けられている制御システムについて説明する。
【００５２】
図３において、主制御基板２０は、ＣＰＵ２００と、記憶部２０１とを備えている。
【００５３】
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。
【００５４】
また、記憶部２０１にはメダルクレジット手段２０３が設けられている。メダルクレジット手段２０３はスロットマシン１が内部貯留するメダルの数であるクレジットをメモリに記憶する。
【００５５】
主制御基板２０には、ベットボタン７３、７４、スタートレバー７５、ストップボタン７６ａ、７６ｂ、７６ｃ、精算ボタン７７等の操作スイッチ類、メダル選別装置３４のメダルセンサ３４ａ、ホッパ装置２１等のメダル払出装置、及びサブ制御基板４０等がハーネスで接続されている。
【００５６】
主制御基板２０は、前記操作スイッチ類やメダル選別装置３４のメダルセンサ３４ａからの出力信号によりゲームに係る操作を検出する。
【００５７】
主制御基板２０は、動作モードがメダルベット待機状態となっている場合において、メダルセンサ３４ａがメダルを検出した場合、検出したメダルをゲームの賭数に加算する。
【００５８】
また、主制御基板２０は、動作モードがメダルクレジット入力待機状態となっている場合において、メダルセンサ３４ａがメダルを検出した場合、検出したメダルをメダルクレジット手段２０３のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２０３の前記クレジット数が最大値（５０）になるまでの状態のことを示している。
【００５９】
主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００６０】
主制御基板２０は、入賞が確定した場合等において、ホッパ装置２１を制御することで、所定数のメダルを受皿部６ａに払い出す。
【００６１】
また、主制御基板２０は、精算ボタン７７が操作された場合、ゲームに賭けられたメダルをキャンセルしてホッパ装置２１に払い出させるとともに、メダルクレジット手段２０３（図３参照）が内部貯留したメダルを精算してホッパ装置２１に精算前のクレジット数のメダルを払い出させる。
【００６２】
サブ制御基板４０は、主制御基板２０からの制御信号に基づいて液晶表示装置４９（図１参照）、演出用照明部４６、４７ａ、４７ｂ、５２ａ、５２ｂ（図１参照）、演出用放音部４８ａ、４８ｂ、６２ａ、６２ｂ（図１参照）のスピーカ３２ａ、３２ｂ、３８ａ、３８ｂ等の演出装置２３０を制御駆動することで、遊技者の視覚や聴覚に訴える演出をゲームの進行に応じて行っている。
【００６３】
一方、主制御基板２０の記憶部２０１には、入賞抽選テーブル２０４及び内部抽選フラグ２０５が記憶されている。例えばＣＰＵ２００は、スタートレバー７５の操作を検出した時点で図示しない乱数発生装置から乱数値を取得し、入賞抽選テーブル２０４を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、当該入賞役を記憶部２０１の内部抽選フラグ２０５に記憶する。ここでは、かかる入賞役の抽選方法を「内部抽選」と呼んでいる。
【００６４】
次に、スロットマシン１におけるゲーム動作の概要を説明する。
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４９等によって行われる。次に、遊技者がメダル投入部７１にメダルを投入し、もしくは、何れかのベットボタン７３、７４を押圧操作することで、スロットマシン１は、内部に貯留したメダル（クレジット）から当該ゲームに所定枚数のメダルが賭けられゲームを準備する。
【００６５】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０５に記憶される。
【００６６】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０５に対応する入賞役に係る図柄の組合せとが一致しているかどうか判定する。
【００６７】
これら図柄の組合せが一致し役への入賞が確定すると、スロットマシン１は、主制御基板２０によりメダルクレジット手段２０３の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルを受皿部６ａへ払い出す。
【００６８】
次に、図４乃至図８を参照して本実施形態の要部となるスタンド部材３０１及びその周辺部について説明する。
【００６９】
図４はベルトコンベア４００上におけるスロットマシン１の前扉３を開いた状態の斜視図である。図５は本実施形態の要部となるスタンド部材３０１及びその周辺部を示す分解斜視図である。図６はスタンド部材３０１及びその周辺部を示す斜視図である。図７はスロットマシン１のスタンド部材３０１を前扉３の底辺８１から退避させた状態を示す側面図である。図８はスロットマシン１のスタンド部材３０１を前扉３の底辺８１から突出させた状態を示す側面図である。
【００７０】
図４において、スロットマシン１は、筐体２から前扉３を開いた状態で製造ラインのベルトコンベア４００に設置されている。本実施形態の説明では、ベルトコンベア４００の上面をスロットマシン１を設置する設置面４０１とする。
【００７１】
筐体２の開口８は設置面４０１に対して角度Ａ（５°程度）だけ斜め上を向いて形成さけている。これに応じて蝶番機構９、１０を結ぶ線、即ち前扉３の回転軸Ｓ１は、垂直方向から筐体２側に角度Ａだけ傾斜しており、前扉３は角度Ａだけ斜め上を向いて開くことになる。
【００７２】
前扉３の下側縁部３００の中央より若干回転軸Ｓ１寄りの位置には、スタンド部材３０１及びこれを保持する保持手段３０２が設けられている。
【００７３】
以下、スタンド部材３０１及び保持手段３０２について詳細に説明する。
【００７４】
図５において、前記スタンド部材３０１は、ステンレス鋼等の金属を板状に形成したものであり、その板面に貫通孔３１１が形成されている。スタンド部材３０１の一端側は、先端側となっており、平面形状が半円形状に形成されて設置面当接部３１２となっている。スタンド部材３０１の他端側は、平面形状が凹形状となる係合部３１３が形成されている。
【００７５】
前記保持手段３０２は、前扉３の下側縁部３００に突出して設けられた軸部３２１と突起部３３１とから構成されている。
【００７６】
軸部３２１は、基端側から所定間隔を置いて爪部３２３ａ、３２３ｂ、３２３ｃ、３２３ｄが四方に形成されている。軸部３２１の先端側には穴３２４が形成され、爪部３２３ａ、３２３ｂ、３２３ｃ、３２３ｄの間にはスリット３２５ａ、３２５ｂ、３２５ｃ、３２５ｄが形成されている。
【００７７】
軸部３２１は、前記スタンド部材３０１の貫通孔３１１に挿入して爪部３２３ａ、３２３ｂ、３２３ｃ、３２３ｄが貫通孔３１１の縁部に係止することで前記スタンド部材３０１を着脱及び回動可能な状態で取り付ける。
【００７８】
突起部３３１は、前扉３の下側縁部３００において、軸部３２１から所定間隔を置いて上側に形成され、図６に示すように、前記スタンド部材３０１の他端側の凹形状の係合部３１３と係合することで前記スタンド部材３０１の先端側が前記前扉３の底辺８１から突出した状態で前記スタンド部材３０１を停止させる。
【００７９】
このような構造により、スタンド部材３０１は、前記前扉３が開放された状態で、その先端側が前記前扉３の底辺８１から突出して前記前扉３に設けられ、その先端側が前記筐体２を設置した設置面４０１に当接することで前記筐体２が前記前扉３側に所定角度以上傾くのを防止する。
【００８０】
以下、スタンド部材３０１の使用方法を説明する。
スタンド部材３０１は、前扉３が閉塞された状態及び図７に示す前扉３が開放された直後の状態では、長手方向を水平方向に向けて軸部３２１に取り付けられる。この場合、係合部３１３は突起部３３１と係合せず、設置面当接部３１２は前扉３の回転軸Ｓ１側を向いており、保持手段３０２は、前記スタンド部材３０１の先端側が前記前扉３の底辺８１から退避した状態でスタンド部材３０１を保持することになる。
【００８１】
この後、前扉３が開放された状態で、図６に示した爪部３２３ａ、３２３ｂ、３２３ｃ、３２３ｄを内側に向けて湾曲させることで爪部３２３ａ、３２３ｂ、３２３ｃ、３２３ｄによるスタンド部材３０１の係止を解除し、スタンド部材３０１を軸部３２１から一旦外し、この後、図８に示すように、係合部３１３が突起部３３１に係合する角度でスタンド部材３０１を軸部３２１に取り付ける。
【００８２】
この場合、係合部３１３は突起部３３１と係合し、保持手段３０２は、前記スタンド部材３０１の先端側が前記前扉３の底辺８１から突出した状態でスタンド部材３０１を保持することになり、設置面当接部３１２は設置面４０１側を向いて設置面４０１に当接することになる。
【００８３】
この後、前扉３を閉塞する場合には、スタンド部材３０１を軸部３２１から一旦外し、図７に示す状態でスタンド部材３０１を軸部３２１に再度取り付け、前扉３を閉塞する。
【００８４】
かかる構成のスロットマシン１によれば、前扉３を開放した場合に、保持手段３０２が前記スタンド部材３０１を当該スタンド部材３０１の先端側が前記前扉３の底辺８１から突出した状態で保持することが可能で、スタンド部材３０１の先端側の設置面当接部３１２が前記筐体２を設置した設置面４０１に当接することで前記筐体２が前記前扉３側に所定角度以上傾くのを防止するので、開かれた前扉３の重量により筐体２が前記前扉３側に傾いて倒れるのを防止でき、製造工程において作業員の手で前扉３を支える等の手間を省き、作業性を向上する等を行える。
【００８５】
また、スロットマシン１によれば、保持手段３０２の突起部３３１を前記前扉３に設けられスタンド部材３０１の他端側の凹形状の係合部３１３と係合させた状態で、保持手段３０２の軸部３２１にスタンド部材３０１を取り付けることで、容易に前記スタンド部材３０１を当該スタンド部材３０１の先端側が前記前扉３の底辺８１から突出した状態で固定できる。
【００８６】
以下、本発明に係る遊技機の好適な他の実施形態を図面を参照して説明する。図９は他の実施形態の要部となるスタンド部材５０１及びその周辺部を示す斜視図である。尚、図９に示す部分以外の他の実施形態の構成は図１乃至図８に示した実施形態と同様になっている。図９を用いた説明において、各部材の左側及び右側はそれぞれスロットマシンの前面側から見た場合の左側及び右側を示しており、前扉４０３の背面側から見た図９では、図面に向かって左側が各部材の右側になっている。
【００８７】
図９において、前扉４０３の下側縁部５００には、スタンド部材５０１及びこれを保持する保持手段５０２が設けられている。
【００８８】
前記スタンド部材５０１は、板状の部材をＬ字状に折曲して脚部５１１と設置面対向部５１２を形成したものである。脚部５１１の板面は前扉４０３に対して平行に配置し、設置面対向部５１２の板面は前扉４０３に対して垂直に配置している。設置面対向部５１２は、前扉４０３の後方に突出するように形成されている。
【００８９】
脚部５１１の板面には上下方向のスリット５１３が形成されている。脚部５１１の蝶番機構１０側の側辺の中央部及び下部には、それぞれ凹形状の上側及び下側の切欠部５１４、５１５が形成されている。設置面対向部５１２の下面には、ゴムを円盤状に形成した滑り止め部材５１６が取り付けられている。
【００９０】
保持手段５０２は、止め金５２１と、締め付けネジ５３１と、板バネ５４１と、ネジ５５０、５５１、５５２、５５３、５５４とから構成されている。
【００９１】
止め金５２１は、板状の部材をＬ字状に折曲して垂直部５２２と水平部５２３が形成されている。
【００９２】
垂直部５２２はネジ５５１、５５２、５５３、５５４により前扉４０３の下側縁部５００にネジ止め固定されるようになっている。
【００９３】
水平部５２３は、垂直部５２２側にスタンド部材５０１の脚部５１１が挿入されるスリット５２４が形成されている。止め金５２１の垂直部５２２には締め付けネジ５３１のネジ部が螺入されるネジ孔５２５が形成されている。締め付けネジ５３１は、スタンド部材５０１のスリット５１３に挿入し止め金５２１のネジ孔５２５に螺入することで、止め金５２１にスタンド部材５０１を取り付ける。
【００９４】
水平部５２３のスリット５２４の右側の位置には、板バネ５４１がネジ５５０によるネジ止めで取り付けられている。板バネ５４１はスタンド部材５０１の脚部５１１の右側辺に圧接して、スタンド部材５０１を左側に付勢する。水平部５２３のスリット５２４の左側の縁部５２６は、スタンド部材５０１の上側及び下側の切欠部５１４、５１５に係止可能になっている。
【００９５】
このような構造により、前記保持手段５０２は、前記前扉４０３に設けられ、前記スタンド部材５０１を上下にスライド可能な状態で保持することで、前記スタンド部材５０１の先端側が前記前扉４０３の底辺５８１から突出した状態と退避した状態の切換選択を可能にするとともに、前記スタンド部材５０１の先端側が前記前扉４０３の底辺５８１から突出した状態で前記スタンド部材５０１を係止する係止手段となっている。
【００９６】
以下、スタンド部材５０１の使用方法を説明する。
スタンド部材５０１は、前扉４０３が閉塞された状態及び前扉４０３が開放された直後の状態では、図中一点鎖線に示すように、止め金５２１に対して比較的上側に配置し、板バネ５４１により左側に付勢された状態で、下側の切欠部５１５が止め金５２１のスリット５２４の左側の縁部５２６に係止される。締め付けネジ５３１は、締め付けられた状態になっており、止め金５２１にスタンド部材５０１を強く固定している。
【００９７】
これにより、保持手段５０２は、前記スタンド部材５０１の先端側が前記前扉４０３の底辺５８１から退避した状態でスタンド部材５０１を保持することになる。
【００９８】
この後、前扉４０３が開放された状態で、作業者は、手動操作により締め付けネジ５３１を緩め、スタンド部材５０１の下側の切欠部５１５をスリット５２４の左側の縁部５２６から外し、スタンド部材５０１を止め金５２１に対して下側にスライドさせ、板バネ５４１により左側に付勢された状態で、上側の切欠部５１４をスリット５２４の左側の縁部５２６に係止させる。この後、作業者は、締め付けネジ５３１を締め付け、止め金５２１にスタンド部材５０１を強く固定する。
【００９９】
この場合、保持手段５０２は、前記スタンド部材５０１の先端側が前記前扉４０３の底辺５８１から突出した状態でスタンド部材５０１を保持することになり、設置面対向部５１２の滑り止め部材５１６は設置面４０１（図４参照）に当接することになる。
【０１００】
前扉４０３を閉塞する場合には、締め付けネジ５３１を緩め、スタンド部材５０１の上側の切欠部５１４をスリット５２４の左側の縁部５２６から外し、スタンド部材５０１を止め金５２１に対して上側にスライドさせ、下側の切欠部５１５をスリット５２４の縁部５２６に係止させる。この後、締め付けネジ５３１を締め付け、止め金５２１にスタンド部材５０１を強く固定し、前記スタンド部材５０１の先端側が前記前扉４０３の底辺５８１から退避した状態で前扉４０３を閉塞する。
【０１０１】
かかる構成のスロットマシンによれば、前扉４０３を閉塞する際に前記スタンド部材５０１を上側にスライドさせることで前記スタンド部材５０１の先端側が前記前扉４０３の底辺５８１から退避した状態を選択できるとともに、前扉４０３を開放した場合に前記スタンド部材５０３の先端側が前記前扉４０３の底辺５８１から突出した状態で前記保持手段５０２の係止手段としての縁部５２６が前記スタンド部材５０２を係止するので、容易に前記スタンド部材５０２を当該スタンド部材５０２の先端側が前記前扉４０３の底辺５８１から突出した状態で固定できる。
【０１０２】
以下、本発明に係る遊技機の好適なもう一つの他の実施形態を図面を参照して説明する。図１０はもう一つの他の実施形態の要部となるスタンド部材６０１及びその周辺部を示す斜視図である。尚、図１０に示す部分以外のもう一つの他の実施形態の構成は図１乃至図８に示した実施形態と同様になっている。図１０を用いた説明において、各部材の左側及び右側はそれぞれスロットマシンの前面側から見た場合の左側及び右側を示しており、前扉の背面側から見た図１０では、図面に向かって左側が各部材の右側になっている。
【０１０３】
図１０において、前扉４１３の下側縁部６００には、スタンド部材６０１及びこれを保持する保持手段６０２が設けられている。
【０１０４】
前記スタンド部材６０１は、板状の部材をＬ字状に折曲して脚部６１１と設置面対向部６１２を形成したものである。脚部６１１の板面の基端側には挿入孔６１３が形成されている。設置面対向部６１２は、前扉４１３の後方に突出するように形成されている。設置面対向部６１２の下面には、ゴムを円盤状に形成した滑り止め部材６１４が取り付けられている。
【０１０５】
保持手段６０２は、止め金６２１と、ネジ６３１と、コイルバネ６４１と、ネジ６５１、６５２、６５３、６５４とから構成されている。
【０１０６】
止め金６２１は、板状の部材を折曲して垂直部６２２と水平爪部６２３と水平フック部６２４を形成したものである。水平爪部６２３と水平フック部６２４は、垂直部６２２に対して前扉４１３の後方に折り曲げて形成されている。垂直部６２２はネジ６５１、６５２、６５３、６５４により前扉４１３の下側縁部６００にネジ止め固定されるようになっている。
【０１０７】
止め金６２１の垂直部６２２にはネジ６３１のネジ部が螺入されるネジ孔６２５が形成されている。ネジ６３１は、コイルバネ６４１の巻軸、スタンド部材６０１のネジ孔６１３に挿入し止め金６２１のネジ孔６２５に螺入することで、止め金６２１にスタンド部材６０１を回動可能かつ垂直部６２２側に付勢した状態で取り付ける。
【０１０８】
水平爪部６２３は、垂直部６２２の底辺の右側（図面に向かって左側）に設けられ、スタンド部材６０１が下方に向けられた状態でスタンド部材６０１の右側を係止可能になっている。
【０１０９】
水平フック部６２４は、垂直部６２２の底辺の左側（図面に向かって右側）に設けられ、スタンド部材６０１が下方に向けられた状態でスタンド部材６０１の左側への回動を禁止している。
【０１１０】
このような構造により、前記保持手段６０２は、前記前扉４１３に設けられ、前記スタンド部材６０１を回動可能な状態で保持することで、前記スタンド部材６０１の先端側が前記前扉３の底辺６８１から突出した状態と退避した状態の切換選択を可能にする。水平爪部６２３は、前記スタンド部材６０１の先端側が前記前扉４１３の底辺６８１から突出した状態で前記スタンド部材を係止する係止手段となっている。
【０１１１】
以下、スタンド部材６０１の使用方法を説明する。
スタンド部材６０１は、前扉４１３が閉塞された状態及び前扉４１３が開放された直後の状態では、図中一点鎖線に示すように、コイルバネ６４１により垂直部６２２側に付勢された状態で、水平爪部６２３の上面に係止し、前扉４１３の右側方に向いて配置している。
【０１１２】
これにより、保持手段６０２は、前記スタンド部材６０１の先端側が前記前扉４１３の底辺６８１から退避した状態でスタンド部材６０１を保持することになる。
【０１１３】
この後、前扉４１３が開放された状態で、作業者は、手動操作により前記スタンド部材６０１を前扉４１３の後方に引き、止め金６２１に対してスタンド部材６０１の先端が前扉４１３の下方を向くようにスタンド部材６０１を回転させ、コイルバネ６４１によりスタンド部材６０１が垂直部６２２側に付勢された状態で、スタンド部材６０１の右側を水平爪部６２３の左側に係止させる。
【０１１４】
この場合、保持手段６０２は、前記スタンド部材６０１の先端側が前記前扉４１３の底辺６８１から突出した状態でスタンド部材６０１を保持することになり、設置面対向部６１２は設置面４０１（図４参照）側に向き、滑り止め部材６１４は設置面４０１（図４参照）に当接することになる。
【０１１５】
前扉４１３を閉塞する場合には、作業者は、前記スタンド部材６０１を前扉４１３の後方に引き、止め金６２１に対してスタンド部材６０１の先端が前扉４１３の右側方を向くようにスタンド部材６０１を回転させ、スタンド部材６０１がコイルバネ６４１により垂直部６２２側に付勢された状態で、スタンド部材６０１を水平爪部６２３の上面に係止させる。この後、前記スタンド部材６０１の先端側が前記前扉４１３の底辺６８１から退避したままの状態で前扉４１３を閉塞する。
【０１１６】
このような構成のスロットマシンによれば、前扉４１３を閉塞する際に前記スタンド部材６０１を上側に回動させることで前記スタンド部材６０１の先端側が前記前扉４１３の底辺６８１から退避した状態を選択できるとともに、前扉４１３を開放した場合に前記スタンド部材６０１の先端側が前記前扉４１３の底辺６８１から突出した状態で前記保持手段６０２の水平爪部６２３が前記スタンド部材６０１を係止するので、容易に前記スタンド部材６０１を当該スタンド部材６０１の先端側が前記前扉４１３の底辺６８１から突出した状態で固定できる。
【０１１７】
以下、図１０に示したもう一つの他の実施形態の変形例を図面を参照して説明する。図１１は図１０に示したもう一つの他の実施形態の変形例の要部となるスタンド部材７０１及びその周辺部を示す斜視図である。尚、図１１に本変形例の示す部分以外の構成は図１乃至図８に示した実施形態と同様になっている。図１１を用いた説明において、各部材の左側及び右側はそれぞれスロットマシンの前面側から見た場合の左側及び右側を示しており、前扉の背面側から見た図１１では、図面に向かって左側が各部材の右側になっている。
【０１１８】
図１１において、前扉４２３の下側縁部７００には、スタンド部材７０１及びこれを保持する保持手段としてのネジ７０２が取り付けられるようになっている。
【０１１９】
スタンド部材７０１は、図１０に示したスタンド部材６０１と同様になっている。
【０１２０】
下側縁部７００には、ネジ７０２のネジ部が螺入されるネジ穴７０３が形成されている。
【０１２１】
ネジ７０２は、スタンド部材７０１のネジ孔６１３に挿入し下側縁部７００のネジ穴７０３に螺入することで、下側縁部７００にスタンド部材７０１をネジ止め固定する。
【０１２２】
以下、スタンド部材７０１の使用方法を説明する。
【０１２３】
スタンド部材７０１は、前扉４２３が閉塞された状態及び前扉４２３が開放された直後の状態では、先端側を前扉４２３の右側方に向けて配置する。
【０１２４】
これにより、ネジ７０２は、前記スタンド部材７０１の先端側が前記前扉４２３の底辺７８１から退避した状態でスタンド部材７０１を保持することになる。
【０１２５】
この後、前扉４２３が開放された状態で、作業者は、ネジ回しを用いた操作によりネジ７０２を緩め、スタンド部材７０１をその先端が下方に来るように回転させ、スタンド部材７０１を先端が下方を向いた状態でネジ７０２を締めてスタンド部材７０１を固定する。
【０１２６】
この場合、ネジ７０２は、前記スタンド部材７０１の先端側が前記前扉４２３の底辺７８１から突出した状態でスタンド部材７０１を保持することになり、設置面対向部６１２は設置面４０１（図４参照）側に向き、滑り止め部材６１４は設置面４０１（図４参照）に当接することになる。
【０１２７】
前扉４２３を閉塞する場合には、作業者の操作によりネジ７０２を緩め、スタンド部材７０１（図４参照）を先端が前扉４２３の右側方を向くように回転させ、スタンド部材７０１の先端が前扉４２３の右側方を向いた状態でネジ７０２を締めスタンド部材７０１を固定する。この後、作業者は、前記スタンド部材７０１の先端側が前記前扉４２３の底辺７８１から退避したままの状態で前扉４２３を閉塞する。
【０１２８】
このような構成のスロットマシンによれば、簡単な構造でスタンド部材７０１の先端側が前記筐体２を設置した設置面４０１（図４参照）に当接することで前記筐体２が前記前扉４２３側に所定角度以上傾くのを防止できるので、前扉４２３の重量により筐体２が前記前扉４２３側に傾いて倒れるのを防止できる。
【産業上の利用可能性】
【０１２９】
本発明は、スロットマシンに限らず、パチンコ機等の他の遊技機に応用することができる。
【図面の簡単な説明】
【０１３０】
【図１】図１は、本発明の一実施形態によるスロットマシンの外観構造を表した斜視図である。
【図２】図２は、本発明の一実施形態によるスロットマシンの内部構造を表した図である。
【図３】図３は、本発明の一実施形態によるスロットマシンの制御システムを表したブロック図である。
【図４】図４は、本発明の一実施形態によるスロットマシンの前扉を開いた状態の斜視図である。
【図５】図５は、本発明の一実施形態によるスタンド部材及びその周辺部を示す分解斜視図である。
【図６】図６は、本発明の一実施形態によるスタンド部材及びその周辺部を示す斜視図である。
【図７】図７は、本発明の一実施形態によるスロットマシンのスタンド部材を前扉の底辺から退避させた状態を示す側面図である。
【図８】図８は、本発明の一実施形態によるスロットマシンのスタンド部材を前扉の底辺から突出させた状態を示す側面図である。
【図９】図９は、本発明の他の実施形態によるスタンド部材及びその周辺部を示す斜視図である。
【図１０】図１０は、本発明のもう一つの他の実施形態によるスタンド部材及びその周辺部を示す斜視図である。
【図１１】図１１は、図１０に示した一つの他の実施形態の変形例によるスタンド部材及びその周辺部を示す斜視図である。
【符号の説明】
【０１３１】
１…スロットマシン、２…筐体２…前扉、４…上部パネル部、
５…下部パネル部、６ａ…受皿部、６…受皿ユニット、７…操作卓、
８…開口、９、１０…蝶番機構、２０…主制御基板、
２１…ホッパ装置、２２…補助貯留部、２３…主電源装置、
２４…電源装置基板、２５…外部集中端子基板、
３０、３１ａ、３１ｂ…発光駆動部、３２ａ、３２ｂ…スピーカ、
３３…中央表示基板、３４…メダル選別装置、
３４ａ…メダルセンサ、３５…ガイド部材、３６…ガイド部材、
３７…ガイド部材、３８ａ、３８ｂ…スピーカ、４０…サブ制御基板、
４１…パネル面、４２…表示窓、４３…遊技状態表示部、
４４…操作アシスト表示部、４５…数値情報表示部、
４６、４７ａ、４７ｂ…演出用照明部、
４８ａ、４８ｂ…演出用放音部、４９…液晶表示装置、
４９ａ…表示窓、５０…パネル板、５１…表示パネル、
５２ａ、５２ｂ…演出用照明部、６１…メダル払出口、
６２ａ、６２ｂ…左右の演出用放音部、７１…メダル投入部、
７２…メダル投入口、７３、７４…ベットボタン、
７５…スタートレバー、７６ａ、７６ｂ、７６ｃ…ストップボタン、
７７…精算ボタン、７８…鍵穴、８１…底辺、１００…リールユニット、
１０１ａ、１０１ｂ、１０１ｃ…リール、２００…ＣＰＵ、
２０１…記憶部、２０２…システムプログラム、
２０３…メダルクレジット手段、２０４…入賞抽選テーブル、
２０５…内部抽選フラグ、２１０…基板ケース、
２２０…基板ケース、２３０…演出装置、
３００…下側縁部、３０１…スタンド部材、３０２…保持手段、
３１１…貫通孔、３１２…設置面当接部、３１３…係合部、
３２１…軸部、３３１…突起部、
３２３ａ、３２３ｂ、３２３ｃ、３２３ｄ…爪部、
３２４…穴、３２５ａ、３２５ｂ、３２５ｃ、３２５ｄ…スリット、
４００…ベルトコンベア、４０１…設置面、４０３…前扉、
４１３…前扉、４２３…前扉、５００…下側縁部、
５０１…スタンド部材、５０２…保持手段、５１１…脚部、
５１２…設置面対向部、５１３…スリット、
５１４、５１５…切欠部、５１６…滑り止め部材、
５２１…止め金、５３１…締め付けネジ、５４１…板バネ、
５５０、５５１、５５２、５５３、５５４…ネジ、
５２２…垂直部、５２３…水平部、５２４…スリット、
５２５…ネジ孔、５２６…縁部、５８１…底辺、６００…下側縁部、
６０１…スタンド部材、６０２…保持手段、６１１…脚部、
６１２…設置面対向部、６１３…挿入孔、６１４…滑り止め部材、
６２１…止め金、６３１…ネジ、６４１…コイルバネ、
６５１、６５２、６５３、６５４…ネジ、６２２…垂直部、
６２３…水平爪部、６２４…水平フック部、６２５…ネジ孔、
６８１…底辺、７００…下側縁部、７０１…スタンド部材、７０２…ネジ、
７０３…ネジ穴、７８１…底辺
【図１】
2007190174.tif 000003
【図２】
2007190174.tif 000004
【図３】
2007190174.tif 000005
【図４】
2007190174.tif 000006
【図５】
2007190174.tif 000007
【図６】
2007190174.tif 000008
【図７】
2007190174.tif 000009
【図８】
2007190174.tif 000010
【図９】
2007190174.tif 000011
【図１０】
2007190174.tif 000012
【図１１】
2007190174.tif 000013